(57)【要約】【課題】段窓の改装において、簡易な構成で室内側への雨水の浸入を防止できる改装用段窓を提供する。【解決手段】無目９の上にはめ殺し障子１１を、無目９の下にスライド障子１３を備え、躯体２及び既設竪枠１５と竪枠３との間、躯体２及び既設上枠３１と上枠５との間に形成した空間２９、３３は互いに連通してあると共に室内側部は気密に保持してあり、左右の竪枠３及び上枠５の室外側部は躯体２との間を気密に保持する気密材２５、３７を有し、無目９は中空５１を有し、左側端を左側竪枠３の見込み面に、右側端を右側竪枠３の見込み面に当接してあり、無目９の下面には外気に連通する連通孔５３が形成してあり、左右の竪枠３、３には無目９との当接面に無目９の中空５１に連通する連通孔３０が形成してある。【選択図】図１
2011153456.tif 000002
【特許請求の範囲】
【請求項１】
既設竪枠に固定する左竪枠及び右竪枠と、既設上枠に固定する上枠と、既設下枠に固定する下枠と、左右の竪枠間に設けた無目と、無目の上に設けたはめ殺し障子と、無目の下に設けたスライド障子とを備え、躯体及び既設竪枠と竪枠との間、躯体及び既設上枠と上枠との間には空間が形成してあり、これらの空間は互いに連通してあると共に各空間の室内側部は気密に保持してあり、左右の竪枠及び上枠の室外側部は躯体との間を気密に保持する気密材を有し、無目は中空を有し、左側端を左側竪枠の見込み面に、右側端を右側竪枠の見込み面に当接してあり、無目の下面には外気に連通する連通孔が形成してあり、左右の竪枠には無目との当接面に無目の中空に連通する連通孔が形成してあることを特徴とする改装用段窓。
【請求項２】
既設竪枠に固定する左竪枠及び右竪枠と、既設上枠に固定する上枠と、既設下枠に固定する下枠と、左右の竪枠間に設けた無目と、無目の上に設けたはめ殺し障子と、無目の下に設けたスライド障子とを備え、既設竪枠と竪枠との間、既設上枠と上枠との間には空間が形成してあり、これらの空間は互いに連通してあると共に各空間の室内側部は気密に保持してあり、左右の竪枠及び上枠の室外側部は、既設枠との間を気密に保持する気密材を有し、無目は中空を有し、左側端を左側竪枠の見込み面に、右側端を右側竪枠の見込み面に当接してあり、無目の下面には外気に連通する連通孔が形成してあり、左右の竪枠には無目との当接面に無目の中空に連通する連通孔が形成してあることを特徴とする改装用段窓。
【発明の詳細な説明】
【技術分野】
【０００１】
本発明は、改装用段窓に関する。
【背景技術】
【０００２】
特許文献１には、中空を有する上下左右の枠を枠組みして各枠の中空を連通すると共に、枠の室外側と室内側とに開口を設けて、窓枠を通じて室内と室外との連通を図ることが開示されている。
一方、既設窓枠を残したまま新規段窓を施工する段窓の改装において、無目と共に枠組みした新規段窓枠を既設窓枠に固定する方法がある。かかる段窓の改装では、段窓枠の室外側で躯体との間を湿式気密材によりシールを施していた。
【先行技術文献】
【特許文献】
【０００３】
【特許文献１】特表２００８−５１３６３２号公報
【発明の概要】
【発明が解決しようとする課題】
【０００４】
しかし、段窓枠と躯体との間を湿式気密材でシールを施していたのでは、施工に手間がかかると共に高価になるという問題があった。これに対して、段窓枠と躯体との間を安価な乾式気密材でシールすることが考えられるが、乾式気密材を用いた場合には、段窓枠と躯体との間に雨水が入り込む場合があり、雨水が室内に浸入するおそれがある。
一方、特許文献１の技術では、窓枠を通じて室内と室外との連通を図るだけであって、段窓と既設窓枠（又は躯体）躯体との間から入り込んだ雨水が室内へ浸入するのを防止するものではない。
【０００５】
そこで、本発明は、段窓の改装において、簡易な構成で室内側への雨水の浸入を防止できる改装用段窓の提供を目的とする。
【課題を解決するための手段】
【０００６】
請求項１に記載の発明は、既設竪枠に固定する左竪枠及び右竪枠と、既設上枠に固定する上枠と、既設下枠に固定する下枠と、左右の竪枠間に設けた無目と、無目の上に設けたはめ殺し障子と、無目の下に設けたスライド障子とを備え、躯体及び既設竪枠と竪枠との間、躯体及び既設上枠と上枠との間には空間が形成してあり、これらの空間は互いに連通してあると共に各空間の室内側部は気密に保持してあり、左右の竪枠及び上枠の室外側部は躯体との間を気密に保持する気密材を有し、無目は中空を有し、左側端を左側竪枠の見込み面に、右側端を右側竪枠の見込み面に当接してあり、無目の下面には外気に連通する連通孔が形成してあり、左右の竪枠には無目との当接面に無目の中空に連通する連通孔が形成してあることを特徴とする。
本発明において、スライド障子は、引違い障子又は片開き障子である。
【０００７】
請求項２に記載の発明は、既設竪枠に固定する左竪枠及び右竪枠と、既設上枠に固定する上枠と、既設下枠に固定する下枠と、左右の竪枠間に設けた無目と、無目の上に設けたはめ殺し障子と、無目の下に設けたスライド障子とを備え、既設竪枠と竪枠との間、既設上枠と上枠との間には空間が形成してあり、これらの空間は互いに連通してあると共に各空間の室内側部は気密に保持してあり、左右の竪枠及び上枠の室外側部は、既設枠との間を気密に保持する気密材を有し、無目は中空を有し、左側端を左側竪枠の見込み面に、右側端を右側竪枠の見込み面に当接してあり、無目の下面には外気に連通する連通孔が形成してあり、左右の竪枠には無目との当接面に無目の中空に連通する連通孔が形成してあることを特徴とする。
【発明の効果】
【０００８】
請求項１に記載の発明によれば、躯体及び既設枠と段窓枠との間の空間は室内側と室外側とで二重気密を図ると共に、中空を有する無目の下面に外気との連通孔を形成し且つ無目の左右端が当接する竪枠に連通孔を形成して、躯体及び既設枠と段窓枠との間の空間を外気に連通して外気と均等圧にしているので、段窓の室外側に気密材を用いることにより雨水が躯体及び既設枠と段窓枠との間に浸入した場合には、躯体及び既設枠と段窓枠との間の空間に入り込んだ雨水の排出を促進することで、室内への雨水の浸入を防止できる。
請求項２に記載の発明によれば、既設枠と段窓枠との間の空間は室内側と室外側とで二重気密を図ると共に、中空を有する無目の下面に外気との連通孔を形成し且つ無目の左右端が当接する竪枠に連通孔を形成して、既設枠と段窓枠との間の空間を外気に連通して外気と均等圧にしているので、段窓の室外側に気密材を用いることにより雨水が既設枠と段窓枠との間に浸入した場合には、既設枠と段窓枠との間の空間に入り込んだ雨水の排出を促進することで、室内への雨水の浸入を防止できる。
請求項１及び２に記載の発明によれば、下側にスライド障子を有する中空無目の下面に外気との連通孔を形成しているから、無目の連通孔からの雨水の浸入を防止できると共に連通孔が目立たないので外観が良い。
無目の下面に連通孔を形成すると共に左右の縦枠にも連通孔を形成するだけであるから、構成が簡易である。
尚、請求項１に記載の発明において、段窓枠の室外側では躯体との間を乾式気密材で気密にし、請求項２に記載の発明において、段窓枠の室外側では既設枠との間を乾式気密材で気密にすれば、共に段窓枠と躯体又は既設枠との間を湿式気密材によるシール作業が不用であるから、安価で且つ容易に施工できる。
【図面の簡単な説明】
【０００９】
【図１】第１実施の形態に係る改装用段窓を施工した状態を、図４に示すＡーＡ位置で切断して示す縦断面図である。
【図２】第１実施の形態に係る改装用段窓を施工した状態を、図４に示すＢーＢ位置で切断して示す横断面図である。
【図３】第１実施の形態に係る改装用段窓を施工した状態を、図４に示すＣーＣ位置で切断して示す横断面図である。
【図４】第１実施の形態に係る改装用段窓を躯体に取付けた状態を室外側から見た正面図である。
【図５】第２実施の形態に係る改装用段窓図であり、（ａ）は上枠及びその周囲部分の縦断面図であり、（ｂ）は無目の下側における左竪枠とその周囲部分を示す横断面図である。
【発明を実施するための形態】
【００１０】
以下に、本発明の実施の形態を説明するが、まず添付図面の図１〜図４を参照して本発明の第１実施の形態を詳細に説明する。本実施の形態に係る改装用段窓１は、既設窓枠を躯体２に残したまま既設窓枠に取付けて施工するものである。
図４に示すように、改装用段窓１は、左右の竪枠３、３と、上枠５と、下枠７と、左右の竪枠３、３間に設けた無目９と、無目９の上に設けたはめ殺し障子と、無目９の下に設けたスライド障子１３とを備えている。上枠５は左右端を各々竪枠３の見込み面に当接しており、無目９も左右端を各々竪枠の見込み面に当接している。尚、左右の竪枠３、３と、上枠５と、下枠７とで段窓枠４を形成している。
図２及び図３に示すように、左右の竪枠３、３は各々、既設竪枠１５に捨て枠１７を介して、ねじ固定されている。尚、左右の竪枠３、３及びその周囲部の構成は左右で同じであるから、以下の説明では左竪枠３及びその周囲部の構成について説明する。
【００１１】
竪枠３の室内側には縦化粧板１９が設けてあり、縦化粧板１９は改装用段窓１の室内側部で竪枠３と既設竪枠１５とにねじ固定されており、縦化粧板１９と竪枠３との間は室内側乾式気密材（二次気密材）２１により気密に保持されており、縦化粧材２５と既設竪枠１５との間は室内側乾式気密材（二次気密材）２３により気密に保持されている。
竪枠３の室外側端部には室外側縦乾式気密材（一次気密材）２５が設けてあり、室外側縦乾式気密材２５の先端を躯体２に当接して躯体２との間の空間２７及び竪枠３と既設竪枠１５との間の空間２８を気密に保持している。
図１に示すように、竪枠３の上端部には、上枠５の上面よりも上の位置に、上枠５と躯体２との間の空間２９及び上枠５と既設上枠３１との間の空間３３に連通する連通孔２０ａ、２０ｂが形成されている。
竪枠３の見込み面には、中空５１を有する無目との当接面に無目の中空５１と連通する連通孔３０が形成されている。
【００１２】
図１に示すように、上枠５は、躯体２に固定してある既設上枠３１に捨て枠３６を介してねじ固定してある。上枠５の室外側部には、躯体２に当接する室外側横乾式横気密材（一次気密材）３７が設けてあり、上枠５と躯体２との間の空間２９及び既設上枠３１との間の空間３３を気密に保持している。上枠５の室内側には、横化粧板３５が設けてあり、横化粧板３５は既設上枠３１と上枠５とにねじ固定してあるが、上端に設けた室内側乾式気密材（二次気密材）４１を既設上枠３１の室内側部に当接し、室内側乾式気密材（二次気密材）４３を上枠５に当接して、既設上枠３１と上枠５の間の空間３３を室内側で気密に保持している。尚、図１において、上枠５と捨て枠３６との間に設けてあるのは、スペーサ３８である。
【００１３】
下枠７は、既設下枠４５のレール部分を切除して、既設下枠４５に載置して既設下枠４５にねじ固定してある。下枠７の室内側にはフック材４７が固定してあり、フック材４７の室外側端に設けた室内側下乾式気密材（二次気密材）４９を下枠７に当接している。
無目９にはその下面に室外側の外気に連通する連通孔５３が形成されている。この連通孔５３は、引戸レール５５の室外側で且つ２枚の引違い障子１３の各戸当たり側の位置（図４参照）に合計２カ所形成されている。
【００１４】
本実施の形態では、室外側縦乾式気密材２５、２５及び室外側横乾式気密材３７により、段窓枠４の左右上の室外側に連続した一次気密材による一次シールを形成している。また、縦化粧板１９に設けた室内側縦乾式気密材２１、２３、横化粧板３５に設けた室内側乾式気密材４１、４３及びフック材４７に設けた室内側下乾式気密材４９により、段窓枠４の室内側外周に連続した二次気密材による二次シールを形成している。
【００１５】
一方、改装用段窓枠４を組立てるが、段窓枠４の組立ては、左右の竪枠３、３、上枠５、下枠７及び無目９を枠組みした後、竪枠３、３の室外側に室外側縦乾式気密材２５を嵌め込み、上枠５に室外側横乾式気密材３７を嵌め込む。
次に、乾式気密材２５、３７を取付けた段窓枠４を躯体２の開口部に室外側から挿入して、既設下枠４５に載置し、左右の竪枠３、３を各々既設竪枠１５に捨て枠１７を介してねじ固定し、下枠７を既設下枠４５にねじ固定し、上枠５を既設上枠３１に捨て枠３６を介してねじ固定した後、段窓枠４の室内側では、竪枠３に縦化粧板１９を固定すると共に上枠５に横化粧板３５を固定し、下枠７にフック材４７を固定する。
これにより、化粧板１９、３５及びフック材４７に設けた室内側乾式気密材２１、２３、４１、４３、４９により改装用段窓枠４の室内側に連続した二次シールを形成し、室外側縦乾式気密材２５と室外側横乾式気密材３７とにより室外側に連続した一次シールを形成する。
【００１６】
本実施の形態によれば、竪枠３と躯体２との間の空間２７、竪枠３と既設竪枠１５との間の空間２８、上枠５と躯体２との間の空間２９及び上枠５と既設上枠３１との間の空間３３は室内側と室外側とで二重気密を図ると共に、中空５１を有する無目９の下面に外気との連通孔５３を形成し且つ無目９の左右端が当接する竪枠３、３に連通孔３０を形成して、躯体２及び既設枠１５、１５、３１と段窓枠４との間の空間２７、２９、２８、３３を外気に連通し、外気と均等圧にしているので、段窓枠４の室外側に乾式気密材２５、２５、３７を用いることにより雨水が、躯体２及び既設枠１５、１５、３１と段窓枠４との間に浸入した場合には、躯体２及び既設枠１５、１５、３１と段窓枠４との間の空間２７、２９、２８、３３に入り込んだ雨水の排出を促進することで、室内への雨水の浸入を防止できる。
無目９は、下側に引き違い障子（スライド障子）を設けてある下面に外気との連通孔５３、５３を形成しているから、連通孔５３、５３からの雨水の浸入を防止できると共に連通孔５３、５３が目立たないので外観が良い。
無目９の下面に連通孔５３、５３を形成すると共に左右の縦枠３、３にも連通孔３０を形成するだけであるから、構成が簡易である。
段窓枠４は、躯体開口部に挿入し、既設枠２５、３１、３１、４１にねじ固定しているので、改装用段窓１の施工が容易にできる。
段窓の改装において、段窓枠４の室外側では躯体２との間を室外側縦乾式気密材２５、２５と室外側横乾式気密材３７で気密にしているので、湿式気密材によるシール作業が不用であるから、安価で且つ容易に施工できる。
【００１７】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図５に第２実施の形態を示す。図５（ａ）は、第２実施の形態に係る改装用段窓の上枠５及びその周囲部分の縦断面図であり、（ｂ）は第２実施の形態に係る改装用段窓の左竪枠及びその周囲部分の横断面図である。尚、第２実施の形態において、右竪枠とその周囲部分は図５（ｂ）に示す左竪枠とその周囲部分の構成と同じであるから、省略する。
この第２実施の形態では、図５（ａ）に示すように、室外側横乾式気密材３７は、既設上枠３１に当接して上枠５と既設上枠３１との間の空間３３を気密に保持している。また、図５（ｂ）に示すように、室外側縦乾式気密材２５は既設竪枠１５に当接して竪枠３と既設竪枠１５との間の空間２８を気密に保持している。
尚、第２実施の形態では、図５（ａ）に示すように、上枠５の室内側端はフック材５７に係止して既設上枠３１に固定してあり、既設上枠３１と上枠５との室内側端はシールテープ５９により気密に保持している。また、図５（ｂ）に示すように竪枠３の室内側端はフック材５７に係止して既設竪枠１５に固定してあり、室内側における竪枠３と既設竪枠１５との間は乾式気密材６１とシールテープ５９により気密に保持している。
【００１８】
この第２実施の形態によれば、第１実施の形態と異なり、段窓枠４の室外側に取付ける室外側縦乾式気密材２５は既設竪枠１５に当接し、室外側横乾式気密材３７と既設横枠３１に当接しており、段窓枠４と既設枠１５、３１との間に空間３３、２８を形成している点が第１実施の形態と異なっている。この第２実施の形態によれば、第１実施の形態と同様の作用効果を得ることができる。
また、室内側部における既設上枠３１と上枠５との間はシールテープ５９で気密に保持し、室内側部における竪枠３と既設竪枠１５との間は乾式気密材６１とシールテープ５９とにより気密にしているので、第１実施の形態よりも室内側のシールが簡単にできる。
【００１９】
本発明は、上述した実施の形態に限らず、本発明の要旨を逸脱しない範囲で種々変形可能である。
例えば、無目９の下面に形成した連通孔５３、５３は２つに限らず、一つでも良いし、３つでも良く、その数及び孔の形状は限定されない。連通孔５３の位置はスライド障子１３の戸当たり側に限らないが、障子を閉めたときに召し合せ框から室内側に雨水が浸入するおそれがあることから、スライド障子１３の召し合せ位置を除くことが好ましい。
スライド障子１３は、片引き障子であっても良い。
第１実施の形態において、上枠５と既設上枠３１との間の空間３３及び上枠５と躯体２との間の空間２９は、竪枠３の上部に形成した連通孔２０ａ、２０ｂにより、竪枠３と躯体２との間の空間２７及び竪枠３と既設竪枠１５との間の空間２８に連通したが、例えば、上枠５の下面に竪枠３を当接する構成として、上枠５において竪枠３の当接位置よりも躯体側に連通孔を形成しても良い。
【符号の説明】
【００２０】
１      改装用段窓    
２      躯体
３      竪枠
５      上枠
７      下枠
９      無目
１１    はめ殺し障子
１３    スライド障子
１５    既設竪枠
２０ａ、２０ｂ    連通孔（上枠と竪枠との間の連通孔）
２５    室外側縦乾式気密材（気密材）
２８    空間（上枠と既設上枠との間の空間）
３０    連通孔（竪枠と無目との間の連通孔）
３１    既設上枠
３３    空間（竪枠と既設竪枠との間の空間）
３７    室外側横乾式気密材（気密材）
４５    既設下枠
５３    連通孔（無目と外気との間の連通孔）
【図１】
2011153456.tif 000003
【図２】
2011153456.tif 000004
【図３】
2011153456.tif 000005
【図４】
2011153456.tif 000006
【図５】
2011153456.tif 000007